(57)【要約】      （修正有）【課題】納骨に際しては、納骨口を露呈することができ、大きな重さの香炉を移動させることなく納骨を行うことができ、納骨後、香炉を位置ずれなく元の位置に戻すことができ、それだけ、使用の利便性を高めることができる墓前用香炉を提供する。【解決手段】墓石の台座部Ｍに配置されて墓石に形成された納骨口Ｗ５を覆う香炉Ｋであって、上面板１ａ、左右の側面板、底面板１ｃ及び背面板からなる前面が開口した香炉本体１の前面に前扉板が設けられ、かつ、背面板に納骨口に開口する連通口３が形成され、連通口を開閉可能な蓋板４が設けられている。【選択図】図３
0003163300.tif 000002
【実用新案登録請求の範囲】
【請求項１】
墓石の台座部に配置されて該墓石に形成された納骨口を覆う香炉であって、上面板、左右の側面板、底面板及び背面板からなる前面が開口した香炉本体の前面に前扉板が設けられ、かつ、該背面板に上記納骨口に開口する連通口が形成され、該連通口を開閉可能な蓋板が設けられていることを特徴とする墓前用香炉。
【請求項２】
上記前扉板は観音開き状に開閉可能な左右一対の半扉板からなることを特徴とする請求項１記載の墓前用香炉。
【請求項３】
上記蓋板の前面に取手部が形成されていることを特徴とする請求項１又は２記載の墓前用香炉。
【考案の詳細な説明】
【技術分野】
【０００１】
本考案は、墓石の台座部に配置される墓前用香炉に関するものである。
【背景技術】
【０００２】
従来、この種の墓前用香炉として、墓石の台座部に配置されて墓石に形成された納骨口を覆う構造のものが知られている。
【先行技術文献】
【特許文献】
【０００３】
【特許文献１】実用新案登録第３１６０１３８号
【特許文献２】実用新案登録第３００４５６６号
【考案の概要】
【考案が解決しようとする課題】
【０００４】
しかしながらこれら従来構造の場合、納骨の際は、納骨口を露呈する必要から、墓前用香炉を台座部から移動させる必要があり、一般的に、香炉は石材製であることもあって、重さは２５Ｋｇ〜３５Ｋｇ程度と重く、人手で動かすには、大変な負担となることがあり、又、墓前用香炉を動かした後、位置ずれなく元の位置に戻す必要もあり、一層負担になるという不都合を有している。
【課題を解決するための手段】
【０００５】
本考案はこのような不都合を解決することを目的とするもので、本考案のうち、請求項１記載の考案は、墓石の台座部に配置されて該墓石に形成された納骨口を覆う香炉であって、上面板、左右の側面板、底面板及び背面板からなる前面が開口した香炉本体の前面に前扉板が設けられ、かつ、該背面板に上記納骨口に開口する連通口が形成され、該連通口を開閉可能な蓋板が設けられていることを特徴とする墓前用香炉にある。
【０００６】
又、請求項２記載の考案は、上記前扉板は観音開き状に開閉可能な左右一対の半扉板からなることを特徴とするものであり、又、請求項３記載の考案は、上記蓋板の前面に取手部が形成されていることを特徴とするものである。
【考案の効果】
【０００７】
本考案は上述の如く、請求項１記載の考案にあっては、納骨に際しては、香炉本体の前面に設けられた前扉板を開口し、かつ、蓋体を取り外して連通口を開口し、上面板、左右の側面板、底面板及び背面板からなる内部空間及び背面板に形成された連通口を介して納骨口を露呈することができ、従って、大きな重さの香炉を移動させることなく納骨を行うことができ、納骨後、香炉を位置ずれなく元の位置に戻すことができ、それだけ、使用の利便性を高めることができる。
【０００８】
又、請求項２記載の考案にあっては、上記前扉板は観音開き状に開閉可能な左右一対の半扉板からなるので、前扉体の開閉を容易に行うことができ、又、請求項３記載の考案にあっては、上記蓋板の前面に取手部が形成されているから、蓋板を容易に取り外したり取り付けたりすることができ、連通口を容易に開閉することができる。
【図面の簡単な説明】
【０００９】
【図１】本考案の実施の形態例の全体斜視図である。
【図２】本考案の実施の形態例の分離正面図である。
【図３】本考案の実施の形態例の正面図である。
【図４】本考案の実施の形態例の平断面図である。
【図５】本考案の実施の形態例の側断面図である。
【図６】本考案の実施の形態例の使用状態図である。
【考案を実施するための形態】
【００１０】
図１乃至図６は本考案の実施の形態例を示し、Ｗは墓石であって、この場合、基礎台Ｗ１、下台Ｗ２、上台Ｗ３及び石碑Ｗ４を積重した構造となっており、この下台Ｗ２の前面に図示省略の納骨部位に連通する納骨口Ｗ５が形成されている。
【００１１】
Ｋは香炉であって、上記墓石Ｗの下台Ｗ２としての台座部Ｍに配置されて墓石Ｗに形成された上記納骨口Ｗ５を覆う構造となっており、この場合、図２の如く、上面板１ａ、左右の側面板１ｂ・１ｂ、底面板１ｃ及び背面板１ｄからなる前面が開口した香炉本体１の前面に前扉板２が設けられ、この場合、左右の側面板１ｂ・１ｂ及び背面板１ｄは一体に形成され、又、前扉板２は、図３の如く、観音開き状に開閉可能な左右一対の半扉板２ａ・２ａからなり、この場合、半扉板２ａ・２ａは軸部２ｂ・２ｂにより軸受され、背面板１ｄに上記納骨口Ｗ５に開口する連通口３が形成され、連通口３を開閉可能な蓋板４が背面板１ｄに対して着脱自在に設けられ、この蓋板４の前面には取手部４ａが左右の凹部４ｂ・４ｂにより形成されている。
【００１２】
５は開閉金具であって、図１の如く、一方の半扉板２ａに掛止板５ａを回動自在に設け、他方の半扉板２ａに掛止受け５ｂを設けてなり、掛止板５ａを回動して掛止受け５ｂに係止することにより左右一対の半扉板２ａ・２ａを閉塞保持し、又、掛止板５ａを回動して掛止受け５ｂから係止解除することにより左右一対の半扉板２ａ・２ａを開口可能に構成している。
【００１３】
この実施の形態例は上記構成であるから、納骨に際しては、図３の如く、香炉本体１の前面に設けられた前扉板２を開口し、かつ、蓋体４を取り外して連通口３を開口し、図５の如く、上面板１ａ、左右の側面板１ｂ・１ｂ、底面板１ｃ及び背面板１ｄからなる内部空間及び背面板１ｄに形成された連通口３を介して納骨口Ｗ５を露呈することができ、従って、大きな重さの香炉Ｋを移動させることなく納骨を行うことができ、納骨後、香炉Ｋを位置ずれなく元の位置に戻すことができ、それだけ、使用の利便性を高めることができる。
【００１４】
又、この場合、上記前扉板２は観音開き状に開閉可能な左右一対の半扉板２ａ・２ａからなるので、前扉体２の開閉を容易に行うことができ、又、この場合、上記蓋板４の前面に取手部４ａが形成されているから、蓋板４を容易に取り外したり取り付けたりすることができ、連通口３を容易に開閉することができる。
【００１５】
尚、本考案は上記の形態例に限られるものではなく、上記香炉本体１、前扉体２、連通口３、蓋板４の形状、材質、構造等は適宜変更して設計される。
【００１６】
以上の如く、所期の目的を充分達成することができる。
【符号の説明】
【００１７】
Ｗ    墓石
Ｗ５    納骨口
Ｍ    台座部
Ｋ    香炉
１    香炉本体
１ａ    上面板
１ｂ    側面板
１ｃ    底面板
１ｄ    背面板
２    前扉板
２ａ    半扉板
３    連通口
４    蓋板
４ａ    取手部
【図１】
0003163300.tif 000003
【図２】
0003163300.tif 000004
【図３】
0003163300.tif 000005
【図４】
0003163300.tif 000006
【図５】
0003163300.tif 000007
【図６】
0003163300.tif 000008